(57)【要約】【課題】市販の安価なナットをそのまま用いてブラインド作業ができ、全体長さを短くできるナット保持具を提供する。【解決手段】ナット保持具１は、環状のフランジ９と、フランジ９から垂下して、ナット収容空間１１を形成する複数の脚部１０とから成り、各脚部は、ナット６の側面に接する細長い板状体で形成され、先端は自由端になってナットの脱落を防止する支持部１３が形成され、各脚部１０のフランジ９に隣接する部分の内面は、フランジに近づくにつれてナット収容空間の直径がナット外径より小さくなるように傾斜したテーパ部１４を有し、ナット６がテーパ部に引き込まれると脚部の対応部分が半径方向外方に張り出すように変形される。【選択図】図５
2008309277.tif 000002
【特許請求の範囲】
【請求項１】
ナットを収容し保持して、前記ナットにねじ部材を螺入して被締結部材へ締結するとき該被締結部材の裏側での前記ナットの支持を不要にできる、ナット保持具であって、
前記ナットの外径より大きい外径を有し中央に前記ねじ部材の貫通穴を有する環状のフランジと、該フランジから垂下するように延び、内側に前記ナットを収容するナット収容空間を形成するように周方向に相互に離して形成されている、複数の脚部とから成り、
前記脚部の各々は、前記ナットの側面に接する細長い板状体で形成され且つその先端は自由端になっており、前記脚部の先端には、前記ナット収容空間に収容したナットの脱落を防止するように内側に張り出す支持部が形成されており、
前記脚部の各々の前記フランジに隣接する部分の内面は、フランジに近づくにつれて前記ナット収容空間の直径が収容ナットの外径より小さくなるように前記フランジに向けて傾斜したテーパ部を有し、前記ナットが該テーパ部に引き込まれると脚部の対応部分が半径方向外方に張り出すように変形される
ことを特徴とするナット保持具。
【請求項２】
請求項１に記載のナット保持具において、前記ナットが六角ナットであり、該六角ナットの平坦な側面に接する６個の脚部が形成されていることを特徴とするナット保持具。
【請求項３】
請求項１に記載のナット保持具において、前記ナットが四角ナットであり、該四角ナットの平坦な側面に接する４個の脚部が形成されていることを特徴とするナット保持具。
【請求項４】
請求項１〜３のいずれか１項に記載のナット保持具において、前記脚部の長さは、収容するナットの高さと前記テーパ部の長さとを加算した長さであることを特徴とするナット保持具。
【請求項５】
請求項１〜４のいずれか１項に記載のナット保持具において、前記支持部は、前記脚部先端から内側に張り出すフック形状に形成されていることを特徴とするナット保持具
【請求項６】
請求項１〜５のいずれか１項に記載のナット保持具において、硬質プラスチック材料で一体成形されて成ることを特徴とするナット保持具。
【請求項７】
請求項１〜５のいずれか１項に記載のナット保持具において、金属材料で形成されて成ることを特徴とするナット保持具。
【請求項８】
ブラインドナット型の固定具であって、
請求項１〜７のいずれか１項に記載のナット保持具と、
前記ナット保持具の前記ナット収容空間に収容して保持されたナットと
から成ることを特徴とするブラインドナット型の固定具。
【発明の詳細な説明】
【技術分野】
【０００１】
本発明は、内側にナットを収容し保持して、ナットにねじ部材を螺入して被締結部材へ締結するとき該被締結部材の裏側（すなわち、ブラインド側）でのナットの支持を不要にできる、ナット保持具に関し、更に、このナット保持具を利用したブラインドナット型の固定具に関する。
【背景技術】
【０００２】
ブラインドナットは、中空のスリーブと該スリーブの一端に形成されたフランジとスリーブの他端側に設けられたナット部とから成り、ねじ部材をフランジからスリーブを貫通してナット部に螺入してナット部をフランジの側に強く引き寄せてスリーブの中間部分を拡膨させ、この拡膨部分とフランジとによってブラインドナットをパネル等の被締結部材に締結する。ブラインドナットは、パネルの裏面側（すなわちブラインド側）でのナットの保持等の作業を不要にし、パネルのおもて側での片面作業（ブラインド作業）ができるので好ましい。しかし、ブラインドナットは、市販のナットより高価である。また、ブラインドナットの締結には、多くの場合、専用の締結工具を必要とする。
【０００３】
【特許文献１】実開昭５７−１７２９１９号公報
【特許文献２】実開昭５４−０９９９５４号公報（実公昭５６−０２０２１号公報）
【発明の開示】
【発明が解決しようとする課題】
【０００４】
特許文献１は、内側にナットそのものを収容し保持するナット保持具を記載している。このナット保持具は、専用の締結工具を用いずに、ナットにねじ部材を螺入して被締結部材へ締結するとき被締結部材の裏側（ブラインド側）でのナットの支持を不要にできる。しかし、特許文献１のナット保持具は、ナットを内側に収容するため、ナットを横方向から挿入する開口を形成しており、開口の分だけ保持具全体の長さが大きくなるので、被締結部材の裏面側が狭い空間である場合には使用できない。
【０００５】
特許文献２は、中空の円筒状の本体の内側にナット部材を収容し保持して、ねじ部材をナット部材に螺入して本体の中でナット部材を引き込むように移動させることによって本体の一部を拡膨して袋穴等に固定できる固定具を記載している。この固定具は、家具の天板等の被取付部材の袋穴に挿入してねじ部材の螺入によって本体の一部を拡膨して袋穴に拡膨本体部分を固定して、固定具が被取付部材に固定する。固定した被取付部材とねじ部材頭部との間に他の取付部材を挟持すれば、その取付部材を被取付部材に連結できる。この固定具は、ねじ部材によってナット部材を本体の内側の小径テーパ部分に引き込ませて拡膨するために、ナット部材の肩部にテーパを形成する、ナット部材の外にテーパ部材を設けるかしなければならないので、市販のナットだけでは足りない。
【０００６】
本発明の目的は、市販の安価なナットをそのまま用いてブラインド作業ができ、全体長さを短くできるナット保持具を提供することにある。他の目的は、このナット保持具を利用したブラインドナット型の固定具を提供することにある。
【課題を解決するための手段】
【０００７】
上記目的を達成するため、本発明は、内側にナットを収容し保持して、ナットにねじ部材を螺入して被締結部材へ締結するとき該被締結部材の裏側（ブラインド側）でのナットの支持を不要にできる、ナット保持具であって、ナットの外径より大きい外径を有し中央にねじ部材の貫通穴を有する環状のフランジと、フランジから垂下するように延び、内側にナットを収容するナット収容空間を形成するように周方向に相互に離して形成されている、複数の脚部とから成り、脚部の各々は、ナットの側面に接する細長い板状体で形成され且つその先端は自由端になっており、脚部の先端には、ナット収容空間に収容したナットの脱落を防止するように内側に張り出す支持部が形成されており、脚部の各々のフランジに隣接する部分の内面は、フランジに近づくにつれてナット収容空間の直径が収容ナットの外径より小さくなるようにフランジに向けて傾斜したテーパ部を有し、ナットが該テーパ部に引き込まれると脚部の対応部分が半径方向外方に張り出すように変形されることを特徴とするナット保持具を提供する。
【０００８】
上記のナット保持具は、フランジと複数の脚部とによる簡単な構成で、内側のナット収容空間に市販のナットを収容でき、その市販の安価なナットをそのまま用いてブラインド作業（すなわち、パネル等の一方の面からだけ作業）をすることができ、ねじ部材の螺入作業だけで脚部部分を張り出すことができ、ナット保持具はフランジと脚部の張り出し部分とによって被締結部材に締結される。従って、スクリュードライバ等の汎用工具で締結作業が行えて、専用工具を不要にする。そして、ナットをナット収容空間に収容するには脚部先端の自由端側から押込めばよく、ナット収容開口による全長の増大がなくなり、ナット保持具の全長が短くできる。また、フランジに隣接する脚部部分が張り出すので、被締結部材の板厚は厚くても薄くても締結でき、更に、複数の脚部が相互に離隔した状態で垂下するので、被締結部材の下穴はラフなものであっても締結力が高く維持される。
【０００９】
上記のナット保持具において、六角ナットを用いることができ、その場合、六角ナットの平坦な側面に接する６個の脚部が形成される。四角ナットを用いることもでき、その場合、四角ナットの平坦な側面に接する４個の脚部が形成される。脚部の長さは、収容するナットの高さとテーパ部の長さとを加算した長さの短い長さにでき、これによって、被締結部材の裏面側の空間が少なくても締結作業には支障がない。ナットの脱落を防止する脚部の支持部は脚部先端から内側に張り出すフック形状に形成される。ナット保持具は、硬質プラスチック材料で一体成形されてもよく、金属材料で形成されてもよい。
【００１０】
本発明は、ブラインドナット型の固定具を提供する。この固定具は、請求項１〜７のいずれか１項に記載のナット保持具と、該ナット保持具のナット収容空間に収容して保持された市販のナットとから成る、極めて簡単な構成で提供され、ブラインドナットを安価に提供できる。
【発明を実施するための最良の形態】
【００１１】
以下、図面を参照して、本発明の実施形態に係るナット保持具及びブラインドナット型の固定具について説明する。図１及び図２には、本発明の第１実施形態に係るナット保持具１及びブラインドナット型の固定具２が示されている。図３及び図４には、本発明の第２実施形態に係るナット保持具１Ａとブラインドナット型の固定具２Ａが示されている。図５には、第１実施形態に係るナット保持具１を利用したブラインドナット型の固定具２を用いて、被締結部材３に取付部材５を連結する操作が示されている。図６は、被締結部材３の板厚が薄い場合に固定具２が取付部材５を被締結部材３に連結した様子を示しており、図７は、被締結部材２１の板厚が厚い場合に固定具２が取付部材５を被締結部材２１に連結した様子を示している。
【００１２】
図１及び図２を参照して、本発明の第１実施形態に係るナット保持具１及びナット保持具１を利用したブラインドナット型の固定具２の構成を説明する。第１実施形態に係るナット保持具１は、市販されている六角ナット６を収容するように形成されている。ナット保持具１は、硬質プラスチック材料で一体成形されてもよく、鉄系の金属材料で形成されてもよく、更には、非鉄金属で形成されてもよい。かかる材料は、目的や用途によって選択できるが、試作品は、成形の容易さから、硬質プラスチック材料で形成した。ブラインドナット型の固定具２は、図示のように、ナット保持具１にナット６が収容されて保持されたものである。ナット６については市販のものであり、説明を省略する。以下、ナット保持具１の詳細を説明する。
【００１３】
図１及び図２において、ナット保持具１は、ナット６の外径より大きい外径で且つ中央にねじ部材（ボルト１８：図５〜７参照）が通る貫通穴７を有する環状のフランジ９と、フランジ９から垂下するように延びる複数の脚部１０とから成る。複数の脚部１０は、内側にナット６を収容するナット収容空間１１を形成するように周方向に相互に離して形成されている。フランジ９の貫通穴７の直径は、ねじ部材の貫通を許すようにねじ部材の外径より大きく形成されるが、ナット収容空間１１に収容されたナット６が抜け出るのを阻止するように、ナット外径より小さく形成されている。脚部１０の各々は、ナット６の側面に接する細長い板状体で形成されている。脚部１０を形成する板状体は、半径方向内方及び外方にばね弾性をもって撓むことのできる可撓性を有し、ナット６の側面の幅よりやや小さな幅に形成されている。図示の実施形態では、ナット６が六角ナットであるので、脚部１０は、６個の細長い板状体で形成され、それぞれが、ナット収容空間１１に収容された六角ナット６の平坦な側面に弾性的に押圧するように接してナット６の姿勢を安定させる。
【００１４】
各脚部１０の先端は自由端になっており、脚部１０の先端には、ナット収容空間１１に収容したナット６の脱落を防止するように内側に張り出す支持部１３が形成されている。支持部１３は、任意の形状でよいが、図示の実施形態では、脚部先端から内側に小さく張り出すフック形状に形成される。ナット６は、支持部１３の外側（図１の下側）からナット収容空間１１に押込まれて収容される。図１において、ナット６が、支持部１３の下側にナット収容空間１１の軸心をナット軸心と合わせるように配置され、そのナット６がナット収容空間１１に向けて軸心方向に押上げるように押込まれる。押込みによって、各脚部１０は、その可撓性によって先端が半径方向外方に撓められて、ナット６が支持部１３を乗り越えてナット収容空間１１に収容される。ナット６がナット収容空間１１に収容されると、各脚部１０が、そのばね弾性と可撓性によって元の姿勢に復帰して六角ナット６の平坦な側面に弾性的に接し、ナット６の姿勢を安定させ、元の位置に復帰した各支持部１３がナット６のナット収容空間１１からの脱落を防止する。なお、ナット６の姿勢がナット収容空間１１で安定するように、各脚部１０は六角ナット６の平坦な側面に弾性的に押圧する。
【００１５】
脚部１０の各々は、フランジ９に隣接する部分の内面が、フランジ９に近づくにつれてナット収容空間１１の直径が収容したナット６の外径より小さくなるように、フランジ９に向けて傾斜したテーパ部１４を有するように形成される。テーパ部１４の幅は、各脚部１０の内面の全幅にわたってもよく、全幅の一部の幅であってもよい。収容されたナット６が、例えば、ねじ部材（ボルト１８等）によってフランジ９側に引き込まれてテーパ部１４に至り、更にフランジ側に引き込まれると、ナット外径より小径のテーパ部１４を半径方向外方に押出すように作用し、これによって、テーパ部１４に対応する脚部１０の部分が、脚部１０の可撓性によって半径方向外方に張り出され、複数の脚部１０が全体で形成される円筒の外径が拡膨される。この脚部１０の張り出し部分とフランジ９との間に被締結部材を挟持すれば、ナット保持具１はその被締結部材に締結される。また、脚部１０が裏面側に出ない、袋穴等の深い穴に脚部１０を挿入して脚部１０を半径方向に拡膨させると、その拡膨部分が袋穴の壁部に摩擦係合して、ナット保持具１を固定することができる。このように、ナット６を収容し保持したナット保持具１は、ブラインドナット型の固定具２として用いることができる。
【００１６】
図３及び図４は、本発明の第２実施形態に係るナット保持具１Ａとブラインドナット型の固定具２Ａを示している。ナット保持具１Ａは、図４に最もよく示されるように、四角ナット６Ａが収容され保持される形状に形成されている。ナット保持具１Ａは、四角ナット６Ａを収容し保持するため、４個の細長い可撓性の板状体で成る脚部１０Ａを有する。各脚部１０は、ナット収容空間１１Ａに収容された四角ナット６Ａの平坦な側面に弾性的に押圧するように接してナット６Ａの姿勢を安定させる。ナット保持具１Ａは、四角ナット６Ａを収容し保持する以外の形状及び構成は、第１実施形態のナット保持具１と同じであるのでその説明を省略する。図３及び図４において、ナット保持具１の構成要素と同じ構成要素には、対応する符号に、記号「Ａ」を加えて記入する。例えば、貫通穴７Ａ、フランジ９Ａ、支持部１３Ａ、テーパ部１４Ａ等である。それらの構成要素については、第１実施形態のナット保持具１の対応する構成要素の説明を参照されたい。
【００１７】
図５及び図６を参照して、第１実施形態に係るナット保持具１（及びブラインドナット型の固定具２）を用いて、取付部材５を、チャンネル材等の裏面に手を差し入れることのできない被締結部材３に連結する作業を説明する。取付部材５の取付穴１５に、ワッシャ１７（必須ではない）付きのボルト１８（ねじ部材）が挿入され、裏面側に、ナット６が収容し保持されたナット保持具１が位置決めされる。また、ナット保持具１は、被締結部材３の取付穴１９に脚部１０が挿入できるように配置される。ボルト１８が、取付部材５の取付穴１５を通ってナット保持具１のフランジ９を貫通し脚部１０に包囲されて保持されたナット６に螺入（ねじ込み）される。この螺入の後に、あるいは、その螺入の前に、ナット保持具１の脚部１０が被締結部材３の取付穴１９に挿通されてフランジ９が被締結部材３の取付穴１９の周縁に接面される。ボルト１８のねじ込みが続けられて、ナット６がフランジ９の側に引上げられて脚部１０の内面のテーパ部１４に当接し、更にねじ込みが続けられると、テーパ部１４の部分の脚部１０が半径方向外方に張り出すように撓められて、脚部１０全体が半径方向に拡膨させられる。
【００１８】
図６は、ボルト１８及びワッシャ１７とフランジ９との間に挟持された取付部材５が、フランジ９と脚部１の拡膨（半径方向外方への変形）部分との間に挟持されて締結されたナット保持具１によって、被締結部材３に連結された様子を示している。ナット保持具１とナット６とで成るブラインドナット型の固定具２は、取付部材５を被締結部材３に連結する。連結において、専用工具は不要であり、ねじ部材としてのボルト１８をねじ込むレンチ又はドライバ等の汎用工具を用いることができ、作業においても、ナット６を裏面側で支えることは不要であり、片側でのブラインド作業で且つ簡単な作業でよい。なお、取付部材５をボルト１８とナット保持具１の間に取付ける作業と、ナット保持具１を被締結部材３に締結する作業の順番は任意である。例えば、ボルト１８を取付部材５とナット保持具１のナット６に軽く螺入してナット保持具１を取付部材５に仮止めしてから、取付部材５から延びるナット保持具１の脚部１０を被締結部材３の取付穴１９に挿入し、更に、ボルト１８を強く螺入して本止めして、取付部材５を被締結部材３に連結することができる。これとは別に、ナット保持具１の脚部１０を被締結部材３の取付穴１９に挿入し、その後、取付部材５の取付穴１５をフランジ９の貫通穴に位置決めして、ボルト１８を螺入して本止めするようにしてもよい。これらに限らず、取付部材５が被締結部材３に連結できる限り、他のやり方でもよい。
【００１９】
図７は、被締結部材２１の板厚が厚い場合に固定具２によって取付部材５が被締結部材３に連結された様子を示している。固定具２のナット保持具１において、フランジ９に隣接する脚部１０の部分（テーパ部１４に対応する部分）が半径方向外方に張り出すので、図示のように、被締結部材２１の板厚が厚くても、ナット保持具１は被締結部材２１に締結でき、取付部材５は被締結部材２１に固く連結できる。更に、このことから、ナット保持具１の脚部１０が裏面側に出ない場合、例えば、奥行きの深い袋穴を持つ被締結部材であっても、ナット保持具１を被締結部材に固定できることが理解されよう。更に、複数の脚部１０が周方向に相互に離隔した状態で垂下するように形成されているので、被締結部材の下穴はラフなものであっても締結力は高く維持される。
【００２０】
更に、被締結部材の下穴をフランジ９が係合できる範囲内で大きくすることによって、ナット６の軸心をボルト１８の軸心に合わせるのが容易になり、特許文献２に見られる、ガイド用のテーパ部分を不要にできる。すなわち、被締結部材の下穴をやや大きめにラフに形成することによって、ボルト・ナットの中心ずれを解消できる。なお、被締結部材の下穴を大きくしてもフランジ９が係合できる範囲内であれば、ボルト１８の挿入によって脚部１０は半径方向外方に大きく張り出すので、締結は高く維持される。
【図面の簡単な説明】
【００２１】
【図１】六角ナットが収容された、本発明の第１実施形態に係るナット保持具の半断面正面図である。
【図２】図１のナット保持具の底面図である。
【図３】四角ナットが収容された、本発明の第２実施形態に係るナット保持具の半断面正面図である。
【図４】図３のナット保持具の底面図である。
【図５】図１のナット保持具を用いて取付部材を被締結部材に連結する前の図である。
【図６】図１のナット保持具を用いて取付部材を被締結部材に連結した後の図である。
【図７】厚い被締結部材に図１のナット保持具を用いて取付部材を連結した後の図である。
【符号の説明】
【００２２】
１：１Ａ  ナット保持具
２：２Ａ  ブラインドナット型の固定具
３：２１  被締結部材
５  取付部材
６  六角ナット
６Ａ：四角ナット
７  貫通穴
９  フランジ
１０  脚部
１１  ナット収容空間
１３  支持部
１４  テーパ部
１５  取付穴
１７  ワッシャ
１８  ボルト（ねじ部材）
１９  取付穴
【図１】
2008309277.tif 000003
【図２】
2008309277.tif 000004
【図３】
2008309277.tif 000005
【図４】
2008309277.tif 000006
【図５】
2008309277.tif 000007
【図６】
2008309277.tif 000008
【図７】
2008309277.tif 000009